【手続補正書】
【提出日】平成24年11月5日(2012.11.5)
【手続補正１】
【補正対象書類名】特許請求の範囲
【補正対象項目名】請求項９
【補正方法】変更
【補正の内容】
【請求項９】
前記増幅加速回路において、
前記出力期間内の前記第１の期間に、
前記第１及び第２のスイッチをオンし、前記第３及び第４のトランジスタを活性とし、  前記出力期間内の前記第１の期間以後は、
前記第１及び第２のスイッチをオフとし、前記第３及び第４のトランジスタを非活性とする、ことを特徴とする請求項５乃至８のいずれか１項に記載の出力回路。
【手続補正２】
【補正対象書類名】明細書
【補正対象項目名】００１９
【補正方法】変更
【補正の内容】
【００１９】
入力端子ＩＮと出力端子ＯＵＴの電圧が同じときには、トランジスタ９３−１、９３−２、９４−７、９４−８はそれぞれオフしている。入力端子ＩＮの電圧が出力端子ＯＵＴの電圧に対して例えばＶＤＤ側へ大きく変化すると、トランジスタ９３−１がオンし、トランジスタ９４−７のゲート（ノードＮ１５）を出力端子ＯＵＴの電圧に引き下げる。これにより、トランジスタ９４−７がオンとなり、出力段トランジスタ８１のゲート電圧が引き下げられ、出力端子ＯＵＴは急速に入力端子ＩＮの電圧に近づくように充電される。
【手続補正３】
【補正対象書類名】明細書
【補正対象項目名】００５０
【補正方法】変更
【補正の内容】
【００５０】
出力電圧ＶＯの時間変化は、位相補償容量Ｃ１、Ｃ２の充放電に寄与する電流との関係で表すことができる。上記のように、入力電圧ＶＩが電源Ｅ１側へ大きく変化したとき、容量Ｃ１の電位差は減少する。この作用は、容量Ｃ１の充電に寄与するトランジスタ１３２、１３４、１１２の合成電流（Ｉ１−Ｉ３＋Ｉ４´）で決まり、出力電圧ＶＯの時間変化（ｄＶＯ／ｄｔ）は、次式（１）で近似できる。
【手続補正４】
【補正対象書類名】明細書
【補正対象項目名】００５３
【補正方法】変更
【補正の内容】
【００５３】
この作用は容量Ｃ２の放電に寄与するトランジスタ１４２、１４４の合成電流（Ｉ２＋Ｉ３−Ｉ４´）で決まり、出力電圧ＶＯの時間変化（ｄＶＯ／ｄｔ）は、次式（２）で近似できる。
【手続補正５】
【補正対象書類名】明細書
【補正対象項目名】００７６
【補正方法】変更
【補正の内容】
【００７６】
差動増幅段（５０）は、前記入力端子（１）と前記出力端子（２）とそれぞれ接続される第１、第２の入力を有する第１の差動トランジスタ対（例えば図９の１１２、１１１）と、前記第１の差動トランジスタ対に電流を供給する第１の電流源（例えば図９の１１３）と、前記第１の電源（Ｅ１）に共通に接続された第１端子（ソース端子）と、前記第１の差動トランジスタ対の出力対に第１、第２のノード（Ｎ１、Ｎ２）でそれぞれ接続された第２端子（ドレイン端子）とを有し、制御端子（ゲート端子）同士が共通接続された第１導電型の第１のトランジスタ対（１３２、１３１）と、前記第２の電源（Ｅ２）に共通に接続された第１端子（ソース端子）と、第３、第４のノード（Ｎ３、Ｎ４）にそれぞれ接続された第２端子（ドレイン端子）とを有し、制御端子（ゲート端子）同士が共通接続された第２導電型の第２のトランジスタ対（１４２、１４１）と、前記第１のノード（Ｎ１）に接続された第１端子（ソース端子）と、前記差動増幅段（５０）の前記第１の出力（３）に接続された第２端子（ドレイン端子）と、第１のバイアス電圧を受ける制御端子（ゲート端子）とを有する第１導電型の第５のトランジスタ（１３４）と、前記第３のノード（Ｎ３）に接続された第１端子（ソース端子）と、前記差動増幅段（５０）の前記第２の出力（４）に接続された第２端子（ドレイン端子）と、第２のバイアス電圧を受ける制御端子（ゲート端子）とを有する第２導電型の第６のトランジスタ（１４４）と、前記第２及び第４のノード（Ｎ２、Ｎ４）との間に接続された第１の連絡回路（例えば図９の６０Ｌ）と、前記差動増幅段（５０）の前記第１及び第２の出力（３、４）との間に接続された第２の連絡回路（例えば図９の６０Ｒ）と、を備えている。
【手続補正６】
【補正対象書類名】明細書
【補正対象項目名】００８７
【補正方法】変更
【補正の内容】
【００８７】
差動増幅段５０としては、入力電圧ＶＩが供給される入力端子１と出力電圧ＶＯが出力される出力端子２にそれぞれ接続される第１、第２の入力を有するＮｃｈ差動トランジスタ対（１１２、１１１）と、Ｎｃｈ差動トランジスタ対（１１２、１１１）を駆動する電流源１１３と、
Ｎｃｈ差動トランジスタ対（１１２、１１１）の出力対と電源Ｅ１間に接続され入力電流のミラー電流を出力するＰｃｈトランジスタ対（１３２、１３１）と、
電源Ｅ２に接続され入力電流のミラー電流を出力するＮｃｈトランジスタ対（１４２、１４１）と、
Ｎｃｈ差動トランジスタ対（１１２、１１１）の出力対とＰｃｈトランジスタ対（１３２、１３１）との接続点対のうち、ミラー電流を出力するＰｃｈトランジスタ対（１３２、１３１）の出力端（１３２のドレイン（ノード７））と、差動増幅段５０の第１の出力（ノード３）との間に接続され、制御端子（ゲート）に第１のバイアス電圧（ＢＰ１）を受けるＰｃｈトランジスタ１３４と、
ミラー電流を出力するＮｃｈトランジスタ対（１４２、１４１）の出力端（１４２のドレイン（ノード８））と、差動増幅段５０の第２の出力（ノード４）との間に接続され、制御端子（ゲート）に第２のバイアス電圧（ＢＮ１）を受けるＮｃｈトランジスタ１４４と、
Ｐｃｈトランジスタ対（１３２、１３１）の入力端（１３１のドレイン）とＮｃｈトランジスタ対（１４２、１４１）の入力端（１４１のドレイン）と間に接続された第１の連絡回路（６０Ｌ）と、
前記差動増幅段の前記第１及び第２の出力（ノード３、４）との間に接続された第２の連絡回路（６０Ｒ）と、
を備える。
差動増幅段５０は、Ｎｃｈ差動トランジスタ対（１１２、１１１）と電流源１１３に代えて、入力端子１と出力端子２にそれぞれ接続される第１、第２の入力を有し、出力対がＮｃｈトランジスタ対（１４２、１４１）に接続されるＰｃｈ差動トランジスタ対（１２２、１２１）と、Ｐｃｈ差動トランジスタ対（１２２、１２１）を駆動する電流源１２３とを備えてもよい。あるいは、Ｎｃｈ差動トランジスタ対（１１２、１１１）と電流源１１３と共に、Ｐｃｈ差動トランジスタ対（１２２、１２１）と電流源１２３とを備えてもよい。
【手続補正７】
【補正対象書類名】明細書
【補正対象項目名】０１１０
【補正方法】変更
【補正の内容】
【０１１０】
入力電圧ＶＩが出力電圧ＶＯに対して電源Ｅ１（高位電源）側へ大きく変化すると、増幅加速回路１０のトランジスタ１０３が動作して、出力トランジスタ１０１のゲート（ノード３）は出力端子２の電圧まで引き下げられる。
【手続補正８】
【補正対象書類名】明細書
【補正対象項目名】０１１６
【補正方法】変更
【補正の内容】
【０１１６】
後述される図９、図１０等の出力回路は、容量素子Ｃ１、Ｃ２の第２端子の電位変動が小さい構成であるため、電圧ＮＥ１、ＮＥ２をその電位近傍に設定することで、出力電圧ＶＯの急速な変化に対して容量素子Ｃ１、Ｃ２の高速充放電が行われる。このため、期間Ｔ１後の差動増幅段５０による増幅動作に速やかに移行させることができる。
【手続補正９】
【補正対象書類名】明細書
【補正対象項目名】０１８６
【補正方法】変更
【補正の内容】
【０１８６】
図８に示した出力回路に対して、図５に示したスイッチ制御を行う場合も、期間Ｔ１ａ、Ｔ１ｂに、トランジスタ２０１、２０２により、入力信号ＶＩからトランジスタ２０１又は２０２の閾値電圧（絶対値）程度手前の電圧まで配線負荷が駆動されるため、図３の出力回路より更に高速駆動となる。
【手続補正１０】
【補正対象書類名】明細書
【補正対象項目名】０１９０
【補正方法】変更
【補正の内容】
【０１９０】
＜実施例１＞
図９は、本発明の第１の実施例の構成を示す図であり、図１の実施形態の具体的な回路構成を示す図である。図１８の差動増幅段を図１の差動増幅段５０に適用した構成である。差動増幅段５０は、Ｎｃｈの第１の差動トランジスタ対（１１２、１１１）と、前記第１の差動トランジスタ対（１１２、１１１）に電流を供給する第１の電流源（１１３）と、を有する第１の差動段と、Ｐｃｈの第２の差動トランジスタ対（１２２、１２１）と、第２の差動トランジスタ対（１２２、１２１）に電流を供給する第２の電流源（１２３）と、を有する第２の差動段と、を備え、第１の電源（Ｅ１）に共通に接続された第１端子（ソース端子）と、前記第１の差動トランジスタ対（１１２、１１１）の出力対に第１、第２のノード（Ｎ１、Ｎ２）でそれぞれ接続された第２端子（ドレイン端子）と、を有し、制御端子(ゲート端子)同士が接続されたＰｃｈの第１のトランジスタ対（１３２、１３１）と、前記第２の電源（Ｅ２）に共通に接続された第１端子（ソース端子）と、前記第２の差動トランジスタ対（１２２、１２１）の出力対に第３、第４のノード（Ｎ３、Ｎ４）でそれぞれ接続された第２端子（ドレイン端子）とを有し、制御端子（ゲート端子）同士が接続されたＮｃｈの第２のトランジスタ対（１４２、１４１）と、前記第１のノード（Ｎ１）に接続された第１端子（ソース端子）と、前記差動増幅段（５０）の第１の出力（３）に接続された第２端子（ドレイン端子）と、第１のバイアス電圧（ＢＰ１）を受ける制御端子（ゲート端子）とを有するＰｃｈトランジスタ（１３４）と、前記第３のノード（Ｎ３）に接続された第１端子（ソース端子）と、前記差動増幅段（５０）の第２の出力（４）に接続された第２端子（ドレイン端子）と、第２のバイアス電圧（ＢＮ１）を受ける制御端子（ゲート端子）とを有するＮｃｈトランジスタ（１４４）と、前記差動増幅段（５０）の前記第２及び第４のノード（Ｎ２、Ｎ４）の間に接続された第１の連絡回路（６０Ｌ）と、前記差動増幅段（５０）の前記第１及び第２の出力（３、４）の間に接続された第２の連絡回路（６０Ｒ）と、を備えている。前記第１のノード（Ｎ１）は、第１の容量（Ｃ１）の第２端子がスイッチ（ＳＷ２２）を介して接続される差動増幅段（５０）のノード（７）とされ、前記第３のノード（Ｎ３）は、第の容量（Ｃ２）の第２端子はスイッチ（ＳＷ２４）を介して接続される差動増幅段（５０）のノード（８）とされる。またＰｃｈトランジスタ（１３４）と前記第２の連絡回路（６０Ｒ）との接続点が、差動増幅段（５０）の前記第１の出力（３）とされ、Ｎｃｈトランジスタ（１４４）と前記第２の連絡回路（６０Ｒ）との接続点が、前記差動増幅段（５０）の前記第２の出力（４）とされる。
【手続補正１１】
【補正対象書類名】明細書
【補正対象項目名】０２１１
【補正方法】変更
【補正の内容】
【０２１１】
ここで、容量３１、３２の第２端子が出力段トランジスタ１４、１５のゲートに接続されると、出力段トランジスタ１４のゲート電圧は容量３１の容量性カップリングにより電源ＶＤＤ側へ引き上げられる作用が生じ、出力段トランジスタ１４の充電動作を妨げることになり、この結果、配線負荷の駆動速度が低下する。
【手続補正１２】
【補正対象書類名】明細書
【補正対象項目名】０２１２
【補正方法】変更
【補正の内容】
【０２１２】
このように、出力段トランジスタのゲート・ドレイン（出力端子）間に容量が接続される差動増幅器（図１７等）に対して、本発明の増幅加速回路１０を適用し、容量接続制御回路２０と同様のスイッチ制御を行う構成では、容量の第２端子の電圧が接続切替え前後で大きく異なる場合があるため、接続切替え後の差動増幅動作を妨げる作用が生じ、本発明の作用効果を奏することは不可能である。
【手続補正１３】
【補正対象書類名】明細書
【補正対象項目名】０２３０
【補正方法】変更
【補正の内容】
【０２３０】
ここで、出力段トランジスタ１０１、１０２のゲートがそれぞれ接続されるノード３、４の電圧は、トランジスタ１３４、１４４に流れる電流の値の差によって変化する。
【手続補正１４】
【補正対象書類名】明細書
【補正対象項目名】０２３１
【補正方法】変更
【補正の内容】
【０２３１】
トランジスタ１３４に流れる電流が減少すると、ノード３、４の電圧は、電源Ｅ２（低電位）側へ変化し、出力段トランジスタ１０１による電源Ｅ１から出力端子２への充電電流の電流値が増加し、出力段トランジスタ１０２による出力端子２から電源Ｅ２への放電電流の電流値が減少する。これにより出力端子２の出力電圧ＶＯは上昇し、出力電圧ＶＯが入力電圧ＶＩに到達すると出力安定状態となる。
【手続補正１５】
【補正対象書類名】明細書
【補正対象項目名】０２４２
【補正方法】変更
【補正の内容】
【０２４２】
図２０の容量接続制御回路２０において、スイッチＳＷ２３、ＳＷ２３がオフ、オンとされ、容量Ｃ２がノード８と出力端子２間に接続されているとき、出力電圧ＶＯは、差動トランジスタ対（１１２、１１１）の一方のトランジスタがオン、他方のトランジスタがオフとなって動作する間は、一定のスルーレートで変化する。このときの出力電圧ＶＯのスルーレートは、関連技術（図１８）の説明のスルーレートに関する（３）式でＩ２、Ｃ１をそれぞれゼロとした式（５）と等価となる。
【手続補正１６】
【補正対象書類名】明細書
【補正対象項目名】０２４３
【補正方法】変更
【補正の内容】
【０２４３】
ｄＶＯ／ｄｔ≒Ｉ１／Ｃ２      …（５）